(57)【要約】【課題】本考案は、可変式USBメモリステッキを提供する。【解決手段】USBメモリステッキの主体の上にUSBコネクタフォーマットに合致された一つの共通バスを設けて、マルチメモリ伝送機能を有して、且つ単一な共通バスを介してそれに対応されたコネクタポートと接続させて、電気装置に対応されたUSB伝送インタフェースと、又はSD伝送インタフェース、MMC伝送インタフェース、MSｐro伝送インタフェース、XD伝送インタフェース、SM伝送インタフェース、及びCF伝送インタフェースなどを含むマルチメモリカード伝送インタフェースと信号のアクセスを行う可変式USBメモリステッキ。【選択図】図1
0003118657.tif 000002
【実用新案登録請求の範囲】
【請求項１】
USBメモリステッキの主体の上にUSBコネクタフォーマットに合致された一つの共通バスを設けているUSBメモリステッキにおいて、前記共通バスがマルチメモリカード及びUSBインタフェースを備えて、マルチメモリ伝送機能を有するように構成させて、且つ単一な共通バスを介して、それに対応されたコネクタポートと接続させて、電気装置に対応されたUSB伝送インタフェースと、又はSD伝送インタフェース、MMC伝送インタフェース、MSｐro伝送インタフェース、XD伝送インタフェース、SM伝送インタフェース、及びCF伝送インタフェースなどを含むマルチメモリカード伝送インタフェースとの信号のアクセスを行うことができる構成としたことを特徴とする可変式USBメモリステッキ。
【請求項２】
前記共通バスは、一つの第１接触ブロック及び少なくとも一つの第２接触ブロックを設けられ、前記第１接触ブロックうちの回路接点はUSB コネクタポートの対応モードに合致させて、前記第２接触ブロックうちの幾ら回路接点は所定の配置モードを有していることを特徴とする請求項１に記載の可変式USBメモリステッキ。
【請求項３】
前記第2接触ブロックうちのいくら回路接点は前記第１接触ブロックうちの回路接点と結合することによって、メモリステッキを構成させて、マルチメモリカード伝送インタフェースを介して、接続された電気装置とデータの伝送を行うことができる構成としたことを特徴とする請求項２に記載の可変式USBメモリステッキ。
【請求項４】
前記第１、第2接触ブロックはそれぞれプリント基板の上、下の両面を配置される特徴とする請求項１に記載の可変式USBメモリステッキ。
【請求項５】
前記第１、第2接触ブロックはそれぞれプリント基板の同一面の前、後ブロックの位置を配置される構成としたことを特徴とする請求項１に記載の可変式USBメモリステッキ。
【請求項６】
共通バスとメモリモジュールとの間の回路接続を構成する一つのスイッチ回路を設けたことを特徴とする請求項１に記載の可変式USBメモリステッキ。
【請求項７】
前記スイッチ回路は一つのスイッチ回路のマニュアルモードによって、USBインタフェース及びマルチメモリカードの間の変換を行われる構成としたことを特徴とする請求項６に記載の可変式USBメモリステッキ。
【請求項８】
前記スイッチ回路は制御チップを設けられることによって、USBインタフェース及びマルチメモリカードの間の自動切換えの使用を達成することができる構成としたことを特徴とする請求項６に記載の可変式USBメモリステッキ。
【請求項９】
前記共通バスとメモリモジュールの間の回路連結する一つのスイッチ回路及び一つのファイル管理変換器を設けられる構成としたことを特徴とする請求項１に記載の可変式USBメモリステッキ。
【考案の詳細な説明】
【技術分野】
【０００１】
本考案は可変式USBメモリステッキに関し、特に単一な共通バスを介してそれに対応されたコネクタポートと接続して、電気装置に対応されたUSB伝送インタフェース又は対応されたマルチメモリカード伝送インタフェースとのデータアクセスを行う可変式USBメモリステッキに関するものである。
【背景技術】
【０００２】
小型ディジタル機種の市場規模は次第に大きくなっている（例えばディジタルカメラ、ビデオカメラ、MP3、携帯電話、…など）。直接影響されたのは内部のキーパーツですが、これらに対応した小型化、精巧化、そのパーツ技術を利用する発展も相対的に小型化、チップ化を主要な発展方向として、ミニに近いこれらのICパーツのプリント基板は、体積もますます小さくなって、密度もますます高くなってきている。
【０００３】
上記の小型ディジタル機種としては、ビデオデータ、ディジタル写真、MP3 音楽、ゲームデータ、…などを保存するメモリカード（例えばSmart Media（登録商標） Card、Security
Digital Card、Multi
Media Card、Memory
Stick Card、CF Card、XD Card、…など）、メモリステッキなどのディジタル保存装置は既に多くのコンピュータユーザの身の回り品になっている。フロッピー（登録商標）ディスクに比べて、メモリカード、メモリステッキは体積が小さいですが、容量はフロッピー（登録商標）ディスクよりも多くなって、且つアセクスの速度も速い、さらに、この両方の保存装置はフロッピー（登録商標）ディスクのように湿気を帯びりやすいこと又は壊れられることがない、多くの消費者は次第にフロッピー（登録商標）ディスクの代りに、この両方の保存装置を身の回り品として使用する。
【０００４】
一般に、パーソナルコンピュータ又はノート型コンピュータなどの電気装置はメモリステッキ及びメモリカードを接続する伝送インタフェースがは異なっている。メモリステッキとしては、その伝送インタフェースはUSBコネクタですが、メモリカードの伝送インタフェースは金指という導電端子、従って、このプリント基板の上に、それぞれそれに対応されたUSBコネクタポート及びメモリカードコネクタを取り付ける二種類のインタフェースが必要で、使用の上にとても不便です。
【０００５】
さらに、プリント基板上の回路レイアウトは原理図のコネクタ関係のみでなくで、回路工程のある要求(例えば高周波数特性、デバイスのインピータンス、イミュニティ、…など）も考えている。プリント基板上の取り付け穴、プラグ、位置決め穴及各種デバイスの配置位置は規定な位置に精確に取り付ける必要がある。周辺設備の接続を取り付けることに便利されて、良好的な通風放熱効果を保持して、且つプリンタ基板のソルダパッド、貫通孔（スールホール）、パタン、…などのレイアウトは全て信頼性の品質に影響を与える。同時に、デバイスの間に衝突されないように確保して、また取り付け、調整及びテスト、返品修理を便利に行うことができる。
【０００６】
言い換えば、ディジタル機種製品のミニ化は主に内部パーツ及びプリンタ基板のレイアウトの配置に依存されて、機能が多くなるほどそのプリンタ基板のレイアウト及びそのICパーツの配置も複雑になって、しかしながら、狭い回路のレイアウトに限られて、ICパーツと回線のレイアウトを再増設することは可能性がない任務で、多くのパーツを取り付けると、さらに体積を増大する恐れがある。
【考案の開示】
【考案が解決しようとする課題】
【０００７】
従って、本考案は身の回り品としての保存装置を設計してマルチメモリ伝送機能を有して、且つ単一な共通バスと、それに対応されたコネクタポートとを介して接続させて、電気装置に対応されたUSB伝送インタフェース又はマルチメモリカード伝送インタフェースと信号のアクセスを行うと、使用に合わせる電気装置はプリンタ基板上の伝送インタフェース（例えばUSBコネクタポート、メモリカードコネクタ、…）が簡略化させて、空間の占用を縮小し、電子製品はミニ設計へ向こうことに便利することを課題とする。
【課題を解決するための手段】
【０００８】
本考案はこのような事情に鑑みてなされたものであって、USBメモリステッキ主体の上にUSBコネクタフォーマットに合致された一つの共通バスを設けて、前記共通バスがマルチメモリ伝送機能を有して、且つ単一な共通バスを介してそれに対応されたコネクタポートと接続して、電気装置に対応されたUSB伝送インタフェースと、又はSD伝送インタフェース、MMC伝送インタフェース、MSｐro伝送インタフェース、XD伝送インタフェース、SM伝送インタフェース、及びCF伝送インタフェースなどを含むマルチメモリカード伝送インタフェースとの信号のアクセスを行うUSBメモリステッキ。
【０００９】
そして、メモリステッキそのものとしては、単一な共通バスのみを設けることが必要だけで、且つこの共通バスの中の一部回路接点はマルチメモリカードインタフェースとUSBインタフェースとが重ね合わせて、メモリステッキの体積を増加することがなく、及び使用上の不便性を増加することがない。相対的に、使用に合わせた電気装置では、共通バスに対応された一つのコネクタポートのみを配置することが必要だけで、USB伝送インタフェース又はマルチメモリカードインタフェースを介して、このメモリステッキとのデータ伝送を行って、さらにプリント基板空間の節約、回路レイアウト及び取り付けの簡略化することを達成して、さらに全体の信頼性、及び在庫品及び物流コストを低減することを目的とする。
【考案を実施するための最良の形態】
【００１０】
本考案に関する詳細構成、使用機能、適用原理について、次の図面を参照して説明することからよく分かります。
【００１１】
まず、図１、図２に示すように、図１、図２は本考案の最適な実施例のメモリステッキの基本構成結構図です。そのメモリステッキは一つのプリント基板１を主体として、このプリント基板１は、一つの共通バス２と、連結回線と、及び関連にするマルチインタフェース制御チップと、スイッチ回路と、メモリモジュール３などのICパーツを設けられ、プリント基板１の外側に一層なハウジング４を覆われて、プリント基板１にある端部の共通バス２のみを露出させることによって、プリント基板１のICパーツに対してマスクを形成する。
【００１２】
その中に、共通バス２は一つの第１接触ブロック２１及び少なくとも一つの第２接触ブロック２２を設けられている。その第１接触ブロック２１うちの回路接点はUSBコネクタポートの対応モードに合致して、主に、メモリステッキを構成することによって接続された電気装置とのデータ伝送をUSB伝送インタフェースを介し行う。第２接触ブロック２２うちの幾ら回路接点は所定の配置モードを有し、主に、第１接触ブロック２１中の回路接点と結合して、メモリステッキを構成することによって接続された電気装置とのデータ伝送をマルチメモリカードインタフェースを介して行う。
【００１３】
実施する場合、第１接触ブロック２１と第２接触ブロック２２は図２に示すように、それぞれプリント基板１の上、下両方の基板面に配置して、又は図３に示すように、それぞれプリント基板１と同一な基板面の前、後ブロック位置の方式で同一な共通バス２を集めるの中に配置する。従って、メモリステッキの全ては単一な共通バス２のみを設ける必要だけて、且つこの共通バス２中の一部回路接点(図の中に、第１接触ブロック２１の回路接点に属するものとする)の機能は、マルチメモリカードインタフェースとUSBインタフェースとが重ね合わせて、メモリステッキの体積を増加することがなく、及び使用上の不便性を増加することがない。
【００１４】
同様に、本考案のメモリステッキに合わせて使用する電気装置では、共通バスに対応された一つのコンネクターポートのみを配置する必要だけで、USB伝送インタフェース又はマルチメモリカードインタフェースを介して、このメモリステッキとのデータ伝送を行われて、さらにプリント基板空間の節約、回路レイアウト及び取り付けの簡略化することを達成させ、さらに全体の信頼性、及び在庫品及び物流コストを低減させることを目的とする。
【００１５】
又、図４に示すように、本考案において、一つのスイッチ回路５でメモリステッキを制御することは、共通バス２中のUSBインタフェース又はマルチメモリカードインタフェースと、メモリモジュール中のフラッシュメモリを利用して、データのアクセスを行う。具体的に実施する場合、このスイッチ回路５は図４に示すように、一つのスイッチ回路５１のマニュアルモードによって、USBインタフェース及びマルチメモリカードインタフェースの間の変換を行って、又は図２に示すように、制御チップを設けることによって、USBインタフェース及びマルチメモリカードインタフェースの間の自動切換えの使用を達成させ、且つマルチメモリカード伝送インタフェースの間の伝送モードの異なることに対応して、これら切り替え方式は従来技術ですが、ここでは詳述しない。
ちなみに、メモリステッキの内部にSD伝送インタフェース、MMC伝送インタフェースと、MSｐro伝送インタフェースと、XD伝送インタフェースと、SM伝送インタフェースと、CF伝送インタフェースなどを含むマルチメモリカード伝送インタフェースから構成して、且つさらに、メモリステッキのプリント基板の上に一つのファイル管理変換器を設けることによって、スイッチ回路とメモリモジュールとの間の回路連結を構成させて、ファイル管理変換器を介してデータをメモリモジュールの所定フラッシュメモリの中に変換して、又はフラッシュメモリ３１の中のデータを出力させする。
【産業上の利用可能性】
【００１６】
上記の説明から分かるように、本考案は、メモリステッキの別の一最適な結構を提供する。ただ、以上のように説明したものでは、本考案の最適な実施例だけで、本考案の実施範囲に限定されなく、本考案の特許請求の範囲による均等変化と修正の全ても本考案の特許請求の範囲に含めている。
【図面の簡単な説明】
【００１７】
【図１】本考案のメモリステッキの基本的な構成結構図である。
【図２】本考案の第１、第２接触ブロックの配置状態の模式図である。
【図３】本考案の他の実施例の第１、第２接触ブロックの配置状態の模式図である。
【図４】本考案のさらに他の実施例のメモリステッキの外観結構図である。
【符号の説明】
【００１８】
１    プリント基板
２    共通バス
３    メモリモジュール
４    ハウジング
５    スイッチ回路
２１    第１接触ブロック
２２    第２接触ブロック  
５１    切り替えスイッチ
【図１】
0003118657.tif 000003
【図２】
0003118657.tif 000004
【図３】
0003118657.tif 000005
【図４】
0003118657.tif 000006